(57)【要約】  光ビームの照射によりガス等が発生する画像記録材料を用いた画像記録装置において、画像記録材料とドラムとの間にガス等が回り込んで画像記録材料の裏面を汚染することを防止する。  ドラム表面３１に形成される吸引溝ＬのプレートＰにより塞がれない非閉止領域が、ガス移動方向について下流側に発生しないように、各吸引溝Ｌの延伸方向とプレートＰの装着位置と空気吹付方向の相対的位置関係を設定し、プレートＰ裏面へのガスの回り込みを有効に防止する。
2008032440.tif 000002
【特許請求の範囲】
【請求項１】
その表面に画像記録材料が装着されるドラムと、
前記ドラムを回転させる回転手段と、
前記ドラムの表面に形成された溝と、
前記溝に連通し空気を吸引することにより、前記溝に負圧を発生させる負圧発生手段と、
画像信号により変調された光ビームを照射する画像記録手段と、
前記光ビームの照射により生じるガスを所定方向に吹き飛ばす気流を噴出する気体吹付手段と、を備えた画像記録装置であって、
前記溝上には、前記画像記録材料の装着により該画像記録材料に覆われる閉止領域と、該画像記録材料により覆われない非閉止領域とが形成され、
前記非閉止領域が前記光ビーム照射位置よりも常に前記気体吹付手段からの気流の上流側にのみ存在するように、前記気体吹付手段の気体吹付方向と前記溝の延伸方向と前記画像記録材料の装着位置との相対的な位置関係が決定されていることを特徴とする画像記録装置。
【請求項２】
請求項１に記載の画像記録装置において、
前記ドラムの表面には、少なくとも２種類の異なるサイズの画像記録材料を装着することが可能であり、前記ドラムの表面には、これら少なくとも２種類の異なるサイズの画像記録材料を装着する際の基準となる装着基準位置が定義されており、
前記非閉止領域が前記光ビーム照射位置よりも常に前記気体吹付手段からの気流の上流側にのみ存在するように、前記気体吹付手段の気体吹付方向と前記溝の延伸方向と前記装着基準位置との相対的な位置関係が決定されている画像記録装置。
【請求項３】
請求項１に記載の画像記録装置において、
前記溝と前記負圧発生手段とは該溝の内面に形成された吸引孔を介して連通されており、該吸引孔の各々は各溝の前記閉止領域に形成される画像記録装置。
【請求項４】
請求項３に記載の画像記録装置において、
前記吸引孔は、前記溝の各々の最も気体吹付方向下流側であって、前記画像記録手段による画像記録領域の外側の領域に形成される画像記録装置。
【請求項５】
請求項４に記載の画像記録装置において、
前記画像記録手段は、前記ドラムの回転に同期してドラム回転軸方向に移動させる副走査手段をさらに備え、
前記気体吹付手段は、前記ドラム回転方向の上流側に向けて前記ガスを吹き飛ばす手段である画像記録装置。
【請求項６】
請求項４に記載の画像記録装置において、
前記画像記録手段は、前記ドラムの回転に同期してドラム回転軸方向に移動させる副走査手段をさらに備え、
前記気体吹付手段は、前記副走査手段による前記画像記録手段の移動方向の下流側に向けて前記ガスを吹き飛ばす手段である画像記録装置。
【請求項７】
請求項３に記載の画像記録装置において、
前記ドラムに装着された画像記録材料の描画可能領域は、前記吸引孔の形成位置よりも主走査方向の前記溝の延伸方向にずれた位置に設定される画像記録装置。
【発明の詳細な説明】
【技術分野】
【０００１】
この発明は、ドラムに装着された画像記録材料に画像記録を行う画像記録装置に関する。
【背景技術】
【０００２】
画像記録材料にレーザー光を照射し、画像記録材料の表面から材料の成分をガスとして生じさせることにより画像記録を行う画像記録装置においては、当該ガスが記録ヘッドの対物レンズ等に付着して対物レンズの表面が曇り、画像記録材料に形成される画像の質が劣化する恐れがある。このため、特許文献１に記載されたような、記録ヘッドから出射されるレーザ光と交差する方向に空気流をつくりだすことによりガスを拡散させて、記録ヘッドの対物レンズにガスが付着することを防止する画像記録装置が提案されている。【０００３】
ところで、画像記録材料を装着する記録ドラムには、例えば特許文献２に記載されているように、画像記録材料を密着させるために、吸引機構が設けられている。すなわち、その表面に吸引溝や吸引孔等が形成された中空の記録ドラムに真空ポンプを連結することにより、記録ドラム表面に負圧を発生させることにより記録ドラム表面に印刷版やフイルム等の画像記録材料を固定している。そして、このような記録ドラムを備える画像記録装置では、画像記録材料をドラム表面に固定した状態で記録ドラムを回転させながら、記録ヘッドを副走査方向に移動させることにより、画像記録材料の表面に二次元画像を形成している。【０００４】
また、このような装置では記録ドラム表面に、その円周方向および軸方向に長尺な溝を形成し、各溝の所定箇所に記録ドラムの内部室に連通する吸引孔を形成させていた。そして、サイズの異なる画像記録材料を装着可能にするため、各溝はその延伸方向について十分な長さを備えるようになっている。
【特許文献１】特開２０００−０５６４００号公報
【特許文献２】特開２００５−３３５４００号公報
【発明の開示】
【発明が解決しようとする課題】
【０００５】
従来の装置では、画像記録によって発生するガスや粉塵等が記録ドラム表面と画像記録材料との間に巻き込まれることによる画像記録材料の汚れが問題となっていた。しかし、従来の装置で使用されている画像記録材料では画像記録材料の表面、すなわち、記録ヘッドと対向する側の面の汚れのみを解決すればよく、画像記録材料の裏面の汚れに関しては関心が払われていなかった。【０００６】
ところが、近年、ＣＴＰ（コンピュータ・トゥー・プレート）製版を行う刷版露光装置を用いて、フレキソ・デジタル・プレートと称呼される、画像記録材料に直接に凸版画像を形成する技術が実用化された。そして、フレキソ・デジタル・プレートのような画像記録材料では、プレート裏面の汚れが画像記録の精度に悪影響を与えることが分かってきた。したがって、本発明は、画像記録によって生じるガスが画像記録材料の裏面に回り込んでこの面を汚染する事態を防止することを目的とする。
【課題を解決するための手段】
【０００７】
請求項１に記載の画像記録装置は、その表面に画像記録材料が装着されるドラムと、前記ドラムを回転させる回転手段と、前期ドラムの表面に形成された溝と、前記溝に連通し空気を吸引することにより、前記溝に負圧を発生させる負圧発生手段と、画像信号により変調された光ビームを照射する画像記録手段と、前記光ビームの照射により生じるガスを所定方向に吹き飛ばす気流を噴出する気体噴きつけ手段とを備えた画像記録装置であって、前記溝上には、前記画像記録材料の装着により該画像記録材料に覆われる閉止領域と、該画像記録材料により覆われない非閉止領域とが形成され、前記非閉止領域が前記光ビーム照射位置よりも常に前記気体吹付手段からの気流の上流側にのみ存在するように、前記気体吹付手段の気体吹付方向と前記溝の延伸方向と前記画像記録材料の装着位置との相対的な位置関係が決定されていることを特徴とする。【０００８】
請求項２に記載の画像記録装置は、請求項１に記載の発明において、前記ドラムの表面には、少なくとも２種類の異なるサイズの画像記録材料を装着することが可能であり、前記ドラムの表面には、これら少なくとも２種類の異なるサイズの画像記録材料を装着する際の基準となる装着基準位置が定義されており、前記非閉止領域が前記光ビーム照射位置よりも常に前記気体吹付手段からの気流の上流側にのみ存在するように、前記気体吹付手段の気体吹付方向と前記溝の延伸方向と前記装着基準位置との相対的な位置関係が決定されている。【０００９】
請求項３に記載の画像記録装置は、請求項１に記載の発明において、前記溝と前記負圧発生手段とは該溝の内面に形成された吸引孔を介して連通されており、該吸引孔の各々は各溝の前記閉止領域に形成される。【００１０】
請求項４に記載の画像記録装置は、請求項３に記載の発明において、前記吸引孔は、前記溝の各々の最も気体吹付方向下流側であって、前記画像記録手段による画像記録領域の外側の領域に形成される。【００１１】
請求項５に記載の画像記録装置は、請求項４に記載の発明において、前記画像記録手段は、前記ドラムの回転に同期してドラム回転軸方向に移動させる副走査手段をさらに備え、前記気体吹付手段は、前記ドラム回転方向の上流側に向けて前記ガスを吹き飛ばす手段である。【００１２】
請求項６に記載の画像記録装置は、請求項４に記載の発明において、前記画像記録手段は、前記ドラムの回転に同期してドラム回転軸方向に移動させる副走査手段をさらに備え、前記気体吹付手段は、前記副走査手段による前記画像記録手段の移動方向の下流側に向けて前記ガスを吹き飛ばす手段である。【００１３】
請求項７に記載の画像記録装置は、請求項３に記載の発明において、前記ドラムに装着された画像記録材料の描画可能領域は、前記吸引孔の形成位置よりも主走査方向の前記溝の延伸方向にずれた位置に設定される。
【発明の効果】
【００１４】
本発明の画像記録装置によれば、画像記録材料から発生するガスが画像記録材料の裏面に回り込んで記録画像の品質を劣化させることがない。
【図面の簡単な説明】
【００１５】
【図１】画像記録装置１の透視側面図である。
【図２】記録ヘッド４の概略を示す側面図である。
【図３】記録ヘッド４とドラム３の上面図である。
【図４】ドラム３側から見た記録ヘッド４の正面図である。
【図５】ドラム表面３１の展開図である。
【図６】レーザがプレートＰの先端近傍に照射されているときのガスＧの移動状態を示す説明図である。
【図７】レーザがプレートＰの先端近傍に照射されているときのガスＧの移動状態を示す説明図である。
【図８】レーザがプレートＰの先端近傍に照射されているときのガスＧの移動状態を示す説明図である。
【図９】レーザがプレートＰの後端近傍に照射されているときのガスＧの移動状態を示す説明図である。
【図１０】レーザがプレートＰの後端近傍に照射され終わったときのガスＧの移動状態を示す説明図である。
【図１１】レーザがプレートＰの後端近傍に照射され終わったときのガスＧの移動状態を示す説明図である。
【図１２】フレキソ・デジタル・プレートの説明図である。
【図１３】フレキソ・デジタル・プレートの製版工程の説明図である。
【図１４】フレキソ・デジタル・プレートの製版工程の説明図である。
【図１５】フレキソ・デジタル・プレートの製版工程の説明図である。
【図１６】フレキソ・デジタル・プレートの製版工程の説明図である。
【図１７】フレキソ・デジタル・プレートの製版工程の説明図である。
【図１８】フレキソ・デジタル・プレートの製版工程の説明図である。
【符号の説明】
【００１６】
１    画像記録装置
２    開口
３    ドラム
４    記録ヘッド
３１    ドラム表面
３２    後端テープ
４１    筐体
４２    レーザ光源
４３    レンズ
４４    空気吹付管
４５    ケース
４６    ガス吸引管
１００  ブラシ
Ｈ    吸引孔
Ｌ    吸引溝
Ｐ    フレキソ・デジタル・プレート
Ｇ    ガス
ＥＰ    レーザ照射点
【発明を実施するための最良の形態】
【００１７】
図１は、フレキソ・デジタル・プレートＰに対して画像記録を行う画像記録装置１の透視側面図である。【００１８】
この画像記録装置１は、図１に示すようにフレキソ・デジタル・プレートＰ（以下では省略してプレートＰという）を装着するドラム３と、プレートＰに画像を記録するための記録ヘッド４を備える。ドラム３は内部室を備えた中空の円筒状の部材である。該内部室はドラム３の外部に配設された図示しない真空ポンプに配管で連結されている。【００１９】
未露光のプレートＰは、画像記録装置１の外部から開口２を通過して画像記録装置１の内部に導入され、ドラム３に巻き付けられる。ドラム３は図示を省略した回転機構により矢印ｒ方向に回転する。記録ヘッド４は、ドラム３に対向して配置され、ドラム３の回転軸方向に移動する。このため、記録ヘッド４から画像信号によって変調されるレーザ光をドラム３に向けて照射しているときに、ドラム３を回転させるとプレートＰの表面が主走査される。また、ドラム３の回転に同期して記録ヘッド４をドラム３の回転軸方向に移動させるとプレートＰの表面Ｐが副走査される。なお、以下の説明では副走査方向Ｘ、主走査方向Ｙという。【００２０】
図２乃至図４を参照して記録ヘッド４の構造を説明する。なお、図２は記録ヘッド４の概略を示す側面図である。図３は記録ヘッド４とドラム３の上面図である。図４はドラム３側から見た記録ヘッド４の正面図である。【００２１】
図２に示すように、記録ヘッド４の筐体４１の内部にはレーザ光を照射するレーザ光源４２が配置されている。レーザ光源４２から出射されたレーザ光はレンズ４３によってドラム３の表面（実際にはドラム３に巻装されたプレートＰ）の点ＥＰに結像する。プレートＰがレーザ光で照射されるとガスおよび粉塵が発生する。このガス等を処理するために筐体４１の前面には空気吹付管４４とケース４５、ガス吸引管４６が配設される。【００２２】
空気吹付管４４は、図２に示すように、レーザ光源４２の上方側、すなわち、主走査方向Ｙについてレーザ光源４２よりも下流側であって、図４に示すように副走査方向Ｘの上流側に配置され、フィルタにより浄化された高速の空気をレーザ照射点ＥＰに向けて吹き付ける。これにより図４における主走査方向Ｙから約４５度時計方向に回転させた方向に空気流が発生し、プレートＰから発生したガス等が吹き飛ばされる。【００２３】
ケース４５は拡散したガスの膨散を防止する箱状部材であり、ドラム３に対向する面の一部が開口している。すなわち、ケース４５は、図４においてハッチングを付した部分４５ａが開口している。【００２４】
ガス吸引管４６はケース４５の副走査方向Ｘの下流側の位置においてケース４５に連結している。【００２５】
図５を参照してドラム３の表面３１に形成された吸引溝の方向および位置について説明する。図５はドラム３の表面３１の展開図である。図５には副走査方向ＸのＸ座標軸と主走査方向ＹのＹ座標軸とを参考のために併記している。なお、図５においては、Ｘ座標軸の矢印の方向を副走査方向Ｘの下流、Ｙ座標軸の矢印の方向を主走査方向Ｙの下流とする。【００２６】
ドラム３の表面３１には複数サイズのプレートＰを装着することができる。図５には小サイズのプレートＰ１と大サイズのプレートＰ２の２つを例示している。小サイズのプレートＰ１は、点（ｘ２、ｙ１）、点（ｘ２、ｙ５）、点（ｘ６、ｙ５）、点（ｘ６、ｙ１）を頂点とする矩形である。一方、大サイズのプレートＰ２は、点（ｘ１、ｙ１）、点（ｘ１、ｙ６）、点（ｘ６、ｙ６）、点（ｘ６、ｙ１）を頂点とする矩形である。【００２７】
このような複数サイズのプレートＰを装着するためにドラム表面３１には、副走査方向Ｘに対する傾斜角度がそれぞれ異なる１５本の吸引溝Ｌ１乃至Ｌ１５が形成される。これらの各吸引溝Ｌ１乃至Ｌ１５は、副走査方向Ｘにおいては互いに異なるが主走査方向Ｙにおいて同一である位置（Ｘ座標：ｘ４以上ｘ５以下、Ｙ座標：ｙ２）から延伸して形成されている。また、各吸引溝Ｌ１乃至Ｌ１５のそれぞれの底面の所定位置にはドラム３の内部空間と連通する吸引孔Ｈ１乃至Ｈ１５が形成されている。なお、図面が繁雑にならないように図５においては吸引溝Ｌ２乃至Ｌ５、Ｌ７乃至Ｌ１０、Ｌ１２乃至Ｌ１４の符号と、吸引孔Ｈ２乃至Ｈ５、Ｈ７乃至Ｈ１４の符号を省略している。【００２８】
吸引溝Ｌ１は副走査方向Ｘと平行に延伸する吸引溝であり、吸引孔Ｈ１は吸引溝Ｌ１における最も副走査方向Ｘの下流側に形成されている。【００２９】
吸引溝Ｌ６は副走査方向Ｘに対して反時計方向に約４５度傾斜して延伸する吸引溝である。吸引孔Ｈ６は吸引溝Ｌ６における最も副走査方向Ｘの下流側に形成されている。【００３０】
吸引溝Ｌ１５は主走査方向Ｙと平行に延伸する吸引溝である。【００３１】
吸引溝Ｌ１と吸引溝Ｌ１５以外の吸引溝Ｌ２乃至Ｌ１３はそれぞれ副走査方向Ｘに対して異なる角度で傾斜するように形成されているが、各吸引孔Ｈ２乃至Ｈ１３は各吸引溝Ｌ２乃至Ｌ１３の主走査方向Ｙについて最も上流側、すなわち、主走査方向Ｙの原点位置ｙ０に最も近い位置に形成されている。【００３２】
次に、プレートＰのドラム表面３１への装着について説明する。いずれのサイズのプレートＰも座標（ｘ６、ｙ１）を基準にドラム表面３１に装着される。したがって、プレートＰの左下点はすべてのプレートサイズで共通であり、プレートサイズが大型になるにつれて副走査方向Ｘの逆方向−Ｘあるいは主走査方向Ｙ方向に拡大していく。座標（ｘ６、ｙ１）をプレートＰの装着基準位置という。【００３３】
プレートＰをドラム表面３１に装着することによって各吸引溝Ｌ１乃至Ｌ１５の一部分がプレートＰにより塞がれるが、プレートＰにより塞がれない部分が残る。吸引溝Ｌ１乃至Ｌ１５のプレートＰにより塞がれない部分（以下、吸引溝の非閉止領域という）からガス等がプレートＰの裏面に回り込み、この裏面を汚すことがある。ある種の画像記録材料、たとえば本実施形態で説明しているフレキソ・デジタル・プレートではこのような裏面の汚れが記録画像の品質を劣化させることがある。すなわち、フレキソ・デジタル・プレートの製版ではフレキソ・デジタル・プレートの表面に多数のレリーフが形成されるが、プレートの裏面が汚れていると、このレリーフの形状が不正確になることがある。この現象を、凸版の一種である、図１２に示すフレキソ・デジタル・プレートの製版工程の説明図である図１３乃至図１８を参照して説明する。【００３４】
図１２に示すようにフレキソ・デジタル・プレートは、感光性樹脂層ｂの裏面をベースフィルムａで、表面をブラックマスク層ｃでコーティングした断面構造を有している。このようなプレートＰの表面に対して、図１３に示すように、画像信号によって変調されたレーザ光を照射することにより、ブラックマスク層ｃが選択的に融除される（画像記録工程）。このとき、ガスおよび粉塵が発生する。ブラックマスク層ｃの融除された箇所を符号ｃ１で、融除されなかった箇所を符号ｃ２で示す。【００３５】
次に、図１４に示すように、プレートＰの裏面側にＵＶ光を一律に照射する（バック露光工程）。これにより、感光性樹脂層ｂが所定深さまで硬化する。硬化した部分に符号ｂ２を、硬化していない部分に符号ｂ１を付した。【００３６】
次に、図１５に示すように、プレートＰの表面に一律にＵＶ光を照射する（メイン露光工程）。これにより、画像記録工程で融除された融除箇所ｃ１の下に位置する感光性樹脂層ｂの部分ｂ１１はＵＶ光により硬化する。一方、非融除箇所ｃ２の下に位置する感光性樹脂層ｂの部分ｂ１２はブラックマスク層ｃの遮光作用によりＵＶ光が到達しないので硬化しない。【００３７】
次に、図１６に示すように、プレートＰの表面を洗浄液とブラシ１００で洗浄する（洗い出し工程）。バック露光工程（図１４参照）で硬化した感光性樹脂層ｂ２と、メイン露光工程（図１５参照）で硬化した感光性樹脂層ｂ１１以外の非硬化部分ｂ１２が除去される。これによりプレートＰの表面に複数のレリーフｂ１１が出現する。【００３８】
しかる後に、乾燥工程（図１７）と、表面から再度ＵＶ光を照射する後露光工程（図１８）を実行することによりプレートＰの製版が完了する。【００３９】
ここで、画像記録工程においてプレートＰの裏面がガスによって汚染されたと仮定する。そうすると、画像記録工程の次に行われるバック露光工程において感光性樹脂層ｂの一部ｂ２が硬化するが、該汚染箇所の対向位置の感光性樹脂層ｂ２にはＵＶ光が十分に到達しない。このため、該汚染箇所の対向位置の感光性樹脂層ｂ２は十分に硬化しない。このような未硬化部分は、本来有するべき硬度を有していないため、ブラシ１００等を使用した、その後の洗い出し工程における洗い出しに十分に耐えることができない。したがって、洗い出し工程の後、プレートＰの表面側に出現するレリーフ構造は正確な形状を有さない。すなわち、記録画像が劣化する。【００４０】
画像記録工程（図１２）においてレーザ照射により生じたガスの大半は、前述のケース４５により捕捉されガス吸引管４６により吸引されるが、一部はケース４５により捕捉されないことがある。このようなガスは、空気吹付管４４からの吹付空気により主走査方向上流側で、かつ副走査方向下流側に流される。すなわち、図５に模式的に示すように、レーザ照射点ＥＰから生じたガスＧは、ドラム表面３１に沿って、主走査方向上流側で、かつ副走査方向下流側に向けて流される。なお、レーザ照射点ＥＰはプレートＰの描画可能領域の任意の点である。【００４１】
プレートＰ裏面へのガスＧの回り込みは、各吸引溝Ｌの非閉止領域からガスが進入することにより生じる。図５から明らかなようにレーザ照射点ＥＰ近傍の溝Ｌ１１乃至Ｌ１５のプレートＰ１によって覆われていない部分には、ガスが流れていない。このためガスＧのプレート裏面への回り込みが防止できる。【００４２】
図６乃至図８は、画像記録開始時のガスＧの移動の状態を示す説明図である。図６はプレートＰの先端に対してレーザ露光が開始された直後の状態を示している。図７はドラム３の回転とともに画像記録が進行しガスＧの発生量が増えつつある状態を示している。図８は画像記録が進行し、一定量のガスＧが定常的に発生している状態を示している。【００４３】
図６に示すように、画像記録はドラム３に巻き回されたプレートＰの先端部、すなわちドラム表面３１における各吸引溝Ｌ１乃至Ｌ１５の非閉止領域との境界に近い位置から開始される。レーザ露光の開始直後は、ガスＧの発生量が少ないため、非閉止領域にまでガスＧが広がることはない。【００４４】
図７に示すように、画像記録の進行とともにガスＧの発生量も増加してくる。しかし、プレートＰの先端はドラム３のｒ方向への回転に伴ってガスＧの移動よりも先にケース４５の前方を通過している。このため、発生したガスＧは、図８に示すように、ドラム表面３１の非閉止領域に到達する前にケース４５に補足される。したがって、ガスＧが非閉止領域の各溝からプレートＰの裏面に入り込むことはない。【００４５】
図９乃至図１１は、画像記録終了時のガスＧの移動の状態を示す説明図である。図９はプレートＰの後端においてレーザ露光が終了する直前の状態を示している。図１０はプレートＰへの露光が終了した直後の状態、図１１はレーザ露光終了後さらにドラム３が回転した状態を示している。【００４６】
図９に示すように、プレートＰの後端はガスＧの流れる方向に対して上流にある。なお、プレートＰの後端は固定テープ３２等で固定している。図１０および図１１に示すように、レーザ露光が終了すると、新たなガスＧの発生も停止する。そして、ドラム３のｒ方向への回転に伴って、プレートＰの後端がレーザ照射点を通過するころには、ドラム３とレーザ光源４２との間に存在していたガスＧは、ケース４５に補足されガス吸引管４６により吸引されている。【００４７】
このとき、ガスＧの移動距離がドラム３の回転速度よりも遅いと、プレートＰの後端側の非閉止領域の各吸引溝がプレートＰの後端近傍で発生したガスＧの中を通過し、ガスＧが吸引溝に吸い込まれることになる。【００４８】
シュミレーションによれば、ガスの移動速度は約１０ｍ／ｓであるため、この実施形態では、ドラム３の回転移動速度を約２．２ｍ／ｓとしている。このように、ガスの移動速度がドラムの移動速度より大きい場合には、プレートＰの後端側の非閉止領域となる各吸引溝が、プレートＰの後端近傍で生じたガスＧの中を通過するまでにガス吸引管４６から吸い込まれることになる。したがって、プレートＰの裏面にガスＧが回り込むことがない。【００４９】
この実施形態では、すべての吸引溝Ｌ１乃至Ｌ１５の非閉止領域が、レーザ照射点ＥＰよりもガス移動方向上流側にのみ存在するように、空気吹付管４４からの気流吹付方向と、各溝Ｌ１乃至Ｌ１５の延伸方向と、プレートＰの装着原点との相対的な位置関係を決定している。【００５０】
また、描画可能領域は各プレートサイズ毎に異なる。小サイズのプレートＰ１の描画可能領域Ｐ１０は、大サイズのプレートＰ２のそれ（不図示）とは異なり後者の方が大である。しかし、各プレートサイズの描画可能領域は各吸引孔Ｈ１乃至Ｈ１５から主走査方向Ｙにずれた位置に設定されている。たとえば、小サイズのプレートＰ１の描画可能領域は符号Ｐ１０を付した領域である。【００５１】
吸引溝Ｌを流れる空気流の速度は吸引孔Ｈ付近で最大になる。このため、プレートＰの裏面部分は吸引孔Ｈに対向する部分で最もガスにより汚染されると考えられる。本実施形態で述べたように各プレートサイズの描画可能領域を各吸引孔Ｈ１乃至Ｈ１５からずれた位置に設定することによって吸引孔Ｈへのガスの吹き込みに起因するプレートＰ裏面の汚染が防止できる。
【産業上の利用可能性】
【００５２】
その表面に光照射し、光硬化作用によりレリーフを形成させる画像記録材料のみならず、その表面と裏面の両面に光照射してレリーフを形成させる画像記録材料の製版に使用できる。
【図１】
2008032440.tif 000003
【図２】
2008032440.tif 000004
【図３】
2008032440.tif 000005
【図４】
2008032440.tif 000006
【図５】
2008032440.tif 000007
【図６】
2008032440.tif 000008
【図７】
2008032440.tif 000009
【図８】
2008032440.tif 000010
【図９】
2008032440.tif 000011
【図１０】
2008032440.tif 000012
【図１１】
2008032440.tif 000013
【図１２】
2008032440.tif 000014
【図１３】
2008032440.tif 000015
【図１４】
2008032440.tif 000016
【図１５】
2008032440.tif 000017
【図１６】
2008032440.tif 000018
【図１７】
2008032440.tif 000019
【図１８】
2008032440.tif 000020
【国際調査報告】
2008032440.tif 000021
2008032440.tif 000022
2008032440.tif 000023
2008032440.tif 000024